(57)【要約】【課題】空気圧縮機におけるセキュリティ性を高める。【解決手段】電源からの電力の供給により駆動されるモータ１６と、モータ１６の駆動により圧縮空気を生成する圧縮空気生成部と、上記圧縮空気生成部によって生成された圧縮空気を貯留するタンクと、モータ１６の駆動を制御する制御基板３２と、認証用情報を読み取る読み取り部３９ａと、読み取り部３９ａで読み取った上記認証用情報に基づいて認証を行う情報制御基板３９とを有している。また、情報制御基板３９と制御基板３２とが正規の組み合わせであることの照合を行う。【選択図】図８
2015127522.tif 000002
【特許請求の範囲】
【請求項１】
電源からの電力の供給により駆動されるモータと、
前記モータの駆動により圧縮空気を生成する圧縮空気生成部と、
前記圧縮空気生成部によって生成された前記圧縮空気を貯留するタンクと、
前記モータの駆動を制御する制御部と、
認証用情報を読み取る読み取り部と、
前記読み取り部で読み取った前記認証用情報に基づいて第１の認証を行う認証部と、
を有し、
前記制御部は、予め記憶された認証部識別情報と前記認証部の固有情報とを照合する、空気圧縮機。
【請求項２】
前記制御部の前記認証部識別情報と異なる他の認証部が前記制御部に電気的に接続された際には、前記制御部から前記モータに駆動制御信号を送出しない、請求項１に記載の空気圧縮機。
【請求項３】
前記モータの起動／停止および前記モータの駆動モードの切り替えを指示する操作部材を備え、かつ前記制御部に対して操作信号を出力する操作部を有し、
前記認証部と前記操作部とが一体の部材に形成されている、請求項１または２に記載の空気圧縮機。
【請求項４】
前記モータの起動／停止および前記モータの駆動モードの切り替えを指示する操作部材を備え、かつ前記制御部に対して操作信号を出力する操作部を有し、
前記認証部と前記操作部とが別体の部材で形成されている、請求項１または２に記載の空気圧縮機。
【請求項５】
前記モータ、前記圧縮空気生成部および前記タンクを覆うカバーを有し、
前記読み取り部は、前記認証用情報を非接触で読み取る読み取り部材を有し、
前記読み取り部材は、前記カバー近傍、あるいは、前記カバーと接続され、露出するように設けられている、請求項１または２に記載の空気圧縮機。
【請求項６】
前記モータの起動／停止、または前記モータの駆動モードの切り替え指示、または、前記モータや圧力の状態を表示する操作部材を備え、かつ前記操作部材からの信号に基づき前記制御部に対して操作信号を出力する操作部を有し、
前記操作部材は、前記カバー近傍、あるいは、前記カバーと接続され、露出するように設けられている、請求項５に記載の空気圧縮機。
【請求項７】
前記モータの起動／停止または前記モータの駆動モードの切り替え指示、または、前記モータや圧力の状態を表示する操作部材を備え、かつ前記操作部材からの前記制御部に対して操作信号を出力する操作部を有し、
前記認証部は、前記操作部を介して前記制御部に電気的に接続され、
前記制御部は、前記読み取り部が読み取った前記認証用情報と、予め前記制御部が有する認証部識別情報とによる認証結果に基づいて前記モータの駆動制御を行う、請求項１または２に記載の空気圧縮機。
【請求項８】
前記モータの起動／停止および前記モータの駆動モードの切り替え指示、または、前記モータや圧力の状態を表示する操作部材を備え、かつ前記操作部材からの操作信号を出力する操作部を有し、
前記操作部は、前記認証部を介して前記制御部に電気的に接続され、
前記制御部は、前記読み取り部が読み取った前記認証用情報と、予め前記制御部が有する認証部識別情報とによる認証結果に基づいて前記モータの駆動制御を行う、請求項１または２に記載の空気圧縮機。
【請求項９】
前記モータの起動／停止および前記モータの駆動モードの切り替え指示、または、前記モータや圧力の状態を表示する操作部材を備え、かつ前記操作部材からの前記制御部に対して操作信号を出力する操作部を有し、
前記操作部と前記認証部とが、それぞれ別々に前記制御部に電気的に接続され、
前記制御部は、前記読み取り部が読み取った前記認証用情報と、予め前記制御部が有する認証部識別情報とによる認証結果に基づいて前記モータの駆動制御を行う、請求項１または２に記載の空気圧縮機。
【請求項１０】
前記制御部の記憶部に格納された前記認証部識別情報の種類は、前記読み取り部からの前記認証用信号の種類に比べて少ない、請求項１〜９の何れかに記載の空気圧縮機。
【請求項１１】
請求項１〜１０の何れかに記載された前記認証部に格納された前記制御部の識別情報を外部の記憶媒体に読み込み、前記記憶媒体に読み込んだ前記識別情報を他の認証部の記憶部に記憶させ、前記制御部と前記他の認証部とで前記認証部の固有情報を照合する、空気圧縮機の認証方法。
【発明の詳細な説明】
【技術分野】
【０００１】
本発明は、モータ駆動によって作動する空気圧縮機およびその認証方法に関する。
【背景技術】
【０００２】
動力工具等に用いられる空気圧縮機（コンプレッサ）として、可搬型のものが知られている。可搬型の空気圧縮機は、建築現場等に持ち込んで使用されることが比較的多い。
【０００３】
しかしながら、可搬型とはいえ比較的重量があり、十分な電流容量の電源が確保される場所に載置される空気圧縮機は、作業者の目の届きにくい場所に置かれることが多く、また、建築現場等では、昼休み等の休憩時間や日中の工事の終了後に現場に残しておくこともあり、その結果、盗難に遭うことがあり、例えば下記に開示した空気圧縮機等では、セキュリティ機能の向上が要望されている。
【０００４】
なお、モータにより駆動される圧縮空気生成部を備えた空気圧縮機としては、例えば特許文献１に記載されている。
【先行技術文献】
【特許文献】
【０００５】
【特許文献１】特許第４００９９４９号公報
【発明の概要】
【発明が解決しようとする課題】
【０００６】
本願発明者は、モータの起動／停止等の複数の操作ボタン（スイッチ）を備えた操作パネル（操作基板、操作部）が、圧縮機本体のカバーから露出して設けられた空気圧縮機のセキュリティについて検討した。
【０００７】
このような空気圧縮機では、通常、操作を行う操作パネルのベースとなる操作基板を有しており、該操作基板に、セキュリティ情報が格納されたＩＣ（Integrated Circuit）チップ（以降、情報制御チップとも呼ぶ）を搭載する構造が安易に考えられる。なお、ここでいうセキュリティ情報は、二つの部材を照合するための符号であり、例えば、チップ固有に付けられた管理番号や、認証を行うためのセキュリティ情報（例えば、数字コードや欧文）等である。
【０００８】
しかしながら上述した操作パネルには複数の操作ボタンが取り付けられているが、操作ボタンは、作業者が頻度高く押圧するため、故障したり損傷したりする。そして、操作ボタンが故障すると、操作ボタンの交換のみならず、操作パネルごと（操作基板ごと）補給部品として交換することが一般的に行われている。
【０００９】
この時、操作基板に情報制御チップが搭載されている場合は、操作パネルの交換に伴ってその空気圧縮機のセキュリティ情報も変更となってしまうという課題を見出した。さらに、情報制御チップに対応した、セキュリティ解除のためのセキュリティキー（例えば、カード等）も交換しなければならないという課題も発生する。
【００１０】
また、このような空気圧縮機の場合、補給部品として操作パネル（操作基板）を購入すると、セキュリティキーも一緒に付いてくる。そして、情報制御チップが搭載された操作パネル（操作基板）とセキュリティキーとでセキュリティ機能が完結しているため、本体を盗んで、操作パネルを新規な操作パネルに交換された場合、何らセキュリティ機能が有効に働かず、空気圧縮機を動作させることができてしまうという課題も発生する。
【００１１】
本発明は、上述した課題を解決するためになされたものであり、セキュリティ性が高められた空気圧縮機およびその認証方法を提供することにある。
【課題を解決するための手段】
【００１２】
一実施の形態の空気圧縮機は、モータと、上記モータの駆動により圧縮空気を生成する圧縮空気生成部と、上記圧縮空気を貯留するタンクと、上記モータの駆動を制御する制御部と、認証用情報を読み取る読み取り部と、上記読み取り部で読み取った上記認証用情報に基づいて第１の認証を行う認証部と、を有し、予め記憶された認証部識別情報と上記認証部の固有情報とを照合するものである。
【００１３】
また、一実施の形態の空気圧縮機の認証方法は、上記認証部の記憶部に格納された上記制御部の上記識別情報を外部の記憶媒体に読み込み、上記記憶媒体を用いて、読み込んだ上記識別情報を他の認証部の記憶部に記憶させ、上記制御部と上記他の認証部とで認証部の固有情報を照合するものである。
【発明の効果】
【００１４】
本発明によれば、空気圧縮機のセキュリティ性を高めることができる。
【図面の簡単な説明】
【００１５】
【図１】本発明の実施の形態１の空気圧縮機の構造の一例を示す斜視図である。
【図２】図１に示す空気圧縮機の平面側の構造の一例を示す断面図である。
【図３】図１に示す空気圧縮機の一部を破断して示す平面図である。
【図４】図１に示す空気圧縮機のカバーを外した状態の構造の一例を示す側面図である。
【図５】図１に示す空気圧縮機の制御系の一例を示すブロック図である。
【図６】図１に示す空気圧縮機の読み取り部の構造の一例を示す平面図である。
【図７】図１に示す空気圧縮機の操作基板の構造の一例を示す正面図である。
【図８】図１に示す空気圧縮機のセキュリティ系主要部の構成の接続状態の一例を示す概念図である。
【図９】図８の構成を示すブロック図である。
【図１０】本発明の実施の形態１の第１変形例の空気圧縮機のセキュリティ系主要部の構成の接続状態を示す概念図である。
【図１１】図１０の構成を示すブロック図である。
【図１２】本発明の実施の形態１の第２変形例の空気圧縮機のセキュリティ系主要部の構成の接続状態を示す概念図である。
【図１３】図１２の構成を示すブロック図である。
【図１４】本発明の実施の形態２の空気圧縮機のセキュリティ系主要部の構成の接続状態の一例を示す概念図である。
【図１５】図１４の構成を示すブロック図である。
【図１６】本発明の実施の形態２の変形例の空気圧縮機のセキュリティ系主要部の構成の接続状態を示す概念図である。
【図１７】図１６の構成を示すブロック図である。
【図１８】本発明の実施の形態３の空気圧縮機のセキュリティ系主要部の構成の接続状態の一例を示す概念図である。
【図１９】図１８の構成を示すブロック図である。
【発明を実施するための形態】
【００１６】
以下、本発明の実施の形態を、図面を用いて詳細に説明する。
【００１７】
（実施の形態１）
図１〜図３に示す本実施の形態１の空気圧縮機１０は、モータ駆動により作動するエアコンプレッサであり、その構成について説明すると、平行となって基台１１に取り付けられる２つの空気タンク１２ａ，１２ｂを有しており、それぞれの空気タンク１２ａ，１２ｂの両端部の下面には、脚部１３が取り付けられている。
【００１８】
また、空気圧縮機１０は脚部１３の部分で所定の設置箇所に配置され、基台１１の両端部にはハンドル部１４ａ，１４ｂが設けられており、空気圧縮機１０はハンドル部１４ａ，１４ｂを作業者が把持して持ち運ぶことができる。すなわち、空気圧縮機１０は、可搬型のエアコンプレッサである。
【００１９】
基台１１には、図２に示すように、駆動ボックス１５が取り付けられており、この駆動ボックス１５にはモータ１６が取り付けられている。このモータ１６は、ロータつまり回転子１８と、円筒形のステータつまり固定子１９とを有しており、電源からの電力の供給によって駆動されるものである。本実施の形態１の空気圧縮機１０で用いられるモータ１６は、例えば三相交流ブラシレスモータである。
【００２０】
回転子１８にはモータ回転軸１７が取り付けられ、モータ回転軸１７を介して被駆動部材としての圧縮空気生成部３０を駆動する。圧縮空気生成部３０は、モータ１６の駆動により圧縮空気を生成するものである。
【００２１】
また、固定子１９には複数の界磁巻線つまり巻線が回転子１８に対向して設けられている。回転子１８は固定子１９の内部に組み込まれており、このモータ１６はインナーロータ型となっている。固定子１９はモータ１６を収容するハウジングとしての駆動ボックス１５に取り付けられる。
【００２２】
モータ回転軸１７は駆動ボックス１５に回転自在に支持されている。駆動ボックス１５には、モータ回転軸１７の回転方向に１８０度の位相をずらして２つのシリンダ２１ａ，２１ｂが取り付けられており、それぞれのシリンダ２１ａ，２１ｂにはピストン２２ａ，２２ｂが軸方向に往復動自在に組み込まれている。
【００２３】
モータ回転軸１７の回転運動をピストン２２ａ，２２ｂの軸方向の往復運動に変換するために、それぞれのピストン２２ａ，２２ｂには、コネクティングロッド２３ａ，２３ｂの一端部がピン結合されている。コネクティングロッド２３ａ，２３ｂの他端部には、モータ回転軸１７に装着される偏心カム２４ａ，２４ｂが設けられており、それぞれの偏心カム２４ａ，２４ｂはピストン２２ａ，２２ｂの往復動方向に逆向きに偏心している。
【００２４】
これにより、一方のピストン２２ａが駆動室２５ａ，２５ｂを圧縮する方向に駆動されると、他方のピストン２２ｂは駆動室２５ａ，２５ｂを膨張させる方向に駆動される。
【００２５】
それぞれのシリンダ２１ａ，２１ｂに設けられたシリンダヘッド２６ａ，２６ｂには、逆止弁２７ａ，２７ｂが設けられている。ピストン２２ａ，２２ｂが駆動室２５ａ，２５ｂを圧縮させる方向に駆動されると、吐出室２８ａ，２８ｂから配管２９ａ，２９ｂを介して空気タンク１２ａ，１２ｂに圧縮空気が供給される。
【００２６】
ピストン２２ｂは外気を導入して圧縮する第１段目の低圧用のピストンであり、低圧用のピストン２２ｂにより圧縮された空気は第２段目の高圧用のピストン２２ａによりさらに圧縮される。上述したシリンダ２１ａ，２１ｂとピストン２２ａ，２２ｂ等は、圧縮空気生成部３０を構成しており、モータ１６の回転子１８はモータ回転軸１７を介して圧縮空気生成部３０に連結される。モータ１６により圧縮空気生成部３０が駆動されると、高圧用のピストン２２ａから吐出された圧縮空気が空気タンク１２ａ，１２ｂに貯溜される。
【００２７】
すなわち、圧縮空気生成部３０では、モータ１６の回転によるピストン２２ａ，２２ｂの往復運動で圧縮空気が生成され、この圧縮空気生成部３０で生成された圧縮空気は、空気タンク（タンク）１２ａ，１２ｂに貯溜される。
【００２８】
モータ回転軸１７の一端部には、モータ１６の外側に位置させて冷却ファン３１ａが取り付けられており、モータ回転軸１７の他端部には冷却ファン３１ｂが取り付けられている。冷却ファン３１ｂの外側には制御基板（制御部、制御部材、メイン基板）３２が配置されており、図４に示すように、制御基板３２は、立てた状態で配置されている。
【００２９】
また、冷却ファン３１ａにより生成される冷却風はモータ１６に吹き付けられ、一方、冷却ファン３１ｂにより生成される冷却風は制御基板３２に吹き付けられる。基台１１にはカバー３３が装着されており、図２〜図４に示すように、上述した圧縮空気生成部３０、モータ１６および空気タンク１２ａ，１２ｂ等はカバー３３によって覆われている。
【００３０】
それぞれの空気タンク１２ａ，１２ｂに貯溜された圧縮空気を外部に供給するために、図１に示すように、空気タンク１２ａ，１２ｂの端部上方にはカプラ３４ａ，３４ｂが設けられている。それぞれのカプラ３４ａ，３４ｂから外部に排出される圧縮空気の圧力を調整するために、減圧弁３５ａ，３５ｂが空気タンク１２ａ，１２ｂに設けられており、減圧された空気の圧力は圧力計３６ａ，３６ｂに表示される。
【００３１】
以上のように、制御基板（制御部、メイン基板）３２では、主に、モータ１６の駆動や圧縮空気生成部３０における空気の圧縮動作を制御している。これらの制御は、制御基板３２に搭載された制御用のマイコンチップである後述する図５に示す演算部４４によって行われる。
【００３２】
また、本実施の形態１の空気圧縮機１０には、図５に示すように、認証用情報を読み取る読み取り部（読み取り部材）３９ａと、読み取り部３９ａで読み取った上記認証用情報に基づいて認証を行う情報制御基板（認証部）３９と、上述の制御基板３２とが設けられている。なお、情報制御基板３９は、当該セキュリティの認証を行う機能のみならず、仕様に応じて読み取り部３９ａや操作部等の諸々の情報を制御することが可能であり、当該セキュリティ機能のみに限定される部材ではない。
【００３３】
情報制御基板３９は、読み取り部３９ａで読み取った図８に示すセキュリティカード４０の認証用情報の認証（第１の認証）を行う。
【００３４】
そして、空気圧縮機１０では、上記認証用情報に基づいて制御基板３２と情報制御基板３９とで認証（第２の認証、識別）を行い、認証が完了したらセキュリティを解除する。これにより、制御基板３２によるモータ１６の駆動を開始する。
【００３５】
また、空気圧縮機１０では、図５に示すように情報制御基板３９には操作パネル３７が搭載されている。この操作パネル（操作部、操作基板）３７には、運転スイッチ３７ａやモードスイッチ３７ｂ等の操作部材が設けられている。そして、これらの運転スイッチ３７ａやモードスイッチ３７ｂを操作することにより、モータ１６の起動／停止指令やモータ回転数が入力される。あるいは、モータ１６の駆動モードの切り替えを指示し、これらの操作のための操作信号を出力する。
【００３６】
さらに、操作パネル３７には、表示部３７ｃも設けられている。
【００３７】
また、空気圧縮機１０では、図４に示すように、認証用情報を読み取る読み取り部３９ａは、カバー３３から露出するように取り付けられており、さらに、読み取り部３９ａと情報制御基板３９とは、ケーブル６２を介して電気的に接続されている。ただし、読み取り部３９ａは、情報制御基板３９上に搭載されていてもよい。
【００３８】
なお、制御基板３２は、カバー３３の内側（空気圧縮機本体の内部）の奥まった位置に配置されており、一方、操作パネル３７および情報制御基板３９は、空気圧縮機本体のカバー３３に取り付けられている。操作パネル３７には、上述のように、運転スイッチ３７ａやモードスイッチ３７ｂ等のスイッチ類が設けられているため、上記スイッチ類は、カバー３３から露出するように配置されている。
【００３９】
また、情報制御基板３９は、操作パネル３７の下部に配置され、情報制御基板３９と操作パネル３７とが積層されており、情報制御基板３９上に操作パネル３７が搭載されている。言い換えると、情報制御基板３９と操作パネル３７とが一体に形成されている（設けられている）。
【００４０】
したがって、本実施の形態１の空気圧縮機１０では、読み取り部３９ａ、操作パネル３７および情報制御基板３９は、カバー３３の近傍に設けられている。ただし、情報制御基板３９と操作パネル３７は、例えば、横に並んで配置されていてもよい。
【００４１】
ここで、空気圧縮機１０では、図５に示すように、情報制御基板３９に、図８に示すセキュリティカード４０から読み取った認証用情報の認証を行うマイコンチップである情報制御チップ３８が搭載されている。
【００４２】
また、制御基板３２には、情報制御基板３９との認証（識別）を行う認証用のマイコンチップ３２ａと、制御基板３２の識別情報（例えば、制御基板３２の数字からなる固有コード）が格納された記憶部であるメモリチップ３２ｂとが搭載されている。ただし、認証用のマイコンチップ３２ａは、情報制御基板３９に設けられていてもよい。
【００４３】
したがって、セキュリティカード４０から読み取った認証用情報に基づいて、情報制御基板３９と制御基板３２とで、上述の制御基板３２の識別情報（固有コード）を用いて認証（第２の認証、識別）を行い（予め記憶された認証部識別情報と情報制御基板３９の固有情報との照合を行い）、情報制御基板３９と制御基板３２との識別情報が一致したら空気圧縮機１０のセキュリティを解除し、制御基板３２によるモータ１６の駆動を開始する。
【００４４】
なお、本実施の形態１の空気圧縮機１０では、制御基板３２の識別情報と異なる識別情報を記憶した他の情報制御基板が制御基板３２に電気的に接続された際には、制御基板３２の制御（演算部４４によるモータ１６の駆動等の制御）を不能にする機能を有している。
【００４５】
すなわち、制御基板３２に、この制御基板３２の識別情報と異なる識別情報を有した他の情報制御基板が接続された際に、空気圧縮機１０が正常に動作しないようにすることができる。
【００４６】
つまり、本実施の形態１の空気圧縮機１０では、故障に対応した修理等で正規の情報制御基板３９が取り外されて、その後、上記正規の情報制御基板３９とは異なる他の情報制御基板が接続された際には、空気圧縮機１０が動作しないようになっている。言い換えると、空気圧縮機１０の制御基板３２と情報制御基板３９との間で関連付けがなされており、正規の情報制御基板３９とは異なる他の情報制御基板が制御基板３２に接続された際には、空気圧縮機１０が動作しないようなセキュリティが働くようになっている。
【００４７】
上述の制御基板３２の制御を不能にする機能とは、例えば、モータ１６の起動を停止させるような制御である。もしくは、制御基板３２からモータ１６に駆動制御信号を送出しないこと等であってもよい。
【００４８】
次に、図５に示す空気圧縮機１０の制御系の詳細について説明する。
【００４９】
空気圧縮機１０は、外部の交流電源５０（例えば仮設電源）から電源コード５１を介して電力の供給を受けて動作するものである。
【００５０】
まず、交流電源５０から制御基板（制御部）３２に電力が供給され、制御基板３２がモータ１６を駆動する。制御基板３２には、空気圧縮機１０の運転操作を行うための操作パネル（操作基板、操作部）３７がケーブルによって接続されている。
【００５１】
なお、図７に示すように、操作パネル３７には、空気圧縮機本体の運転ＯＮ／ＯＦＦを切り替える運転スイッチ（操作部材）３７ａと、運転時のモータ１６の回転数の切り替え指示を行うモードスイッチ（操作部材）３７ｂと、各種情報（モータ１６や圧力の状態）を表示する表示部３７ｃとが設けられている。
【００５２】
運転スイッチ３７ａとモードスイッチ３７ｂは、例えばタクト式スイッチであり、作業者が押圧している時はＯＮ、作業者が手を離すと自動的にＯＦＦとなるスイッチである。表示部３７ｃは、点灯・消灯することで空気タンク１２ａ，１２ｂ内の圧力値や空気圧縮機１０の運転状態、運転モードを作業者に報知するものであり、例えば圧力表示用ＬＥＤ、運転状態表示用ＬＥＤ、運転モード表示用ＬＥＤ等が設けられている。
【００５３】
本実施の形態１の空気圧縮機１０では、上記操作パネル３７は、図５に示すように情報制御基板３９に搭載されている。言い換えると、情報制御基板３９と操作パネル３７とが一体型となっている。
【００５４】
また、モータ１６の回転位置は、位置センサ４１によって検出されて電圧信号として制御基板３２にケーブルを介してフィードバックされる。制御基板３２は、運転スイッチ３７ａからの運転指示信号、モードスイッチ３７ｂからのモード指示信号、位置センサ４１からの位置検出信号、および圧力センサ４２からの圧力検出信号に基づいてモータ１６の駆動を制御する。この制御は、制御基板３２に搭載された制御用のマイコンチップである演算部４４によって行われる。
【００５５】
制御基板３２は、空気圧縮機１０の全体の動作を制御するものでもあり、電源部４３と、演算部４４と、電源電流検出部４５と、電圧検出部４６と、モータ電流検出部４７と、駆動部（インバータ）４８と、不揮発性メモリとしてのＥＥＰＲＯＭ（Electrically Erasable Programmable Read Only Memory)４９とを有している。
【００５６】
制御基板３２において、交流電源５０から電源コード５１を介して電源部４３に交流電力が供給される。電源部４３は、交流電源５０からの交流電力を直流電力に変換し、駆動部４８および演算部４４その他の各回路に適切な電圧を供給する。電源電流検出部４５は、電源部４３の電流を検出する。電圧検出部４６は、電源部４３の電圧を検出する。モータ電流検出部４７は、モータ１６の駆動電流を検出する。
【００５７】
演算部４４は、入力される各種情報（運転スイッチ３７ａからの運転指示信号、モードスイッチ３７ｂからのモード指示信号、位置センサ４１からの位置検出信号、および圧力センサ４２からの圧力検出信号）に基づき、駆動部４８を構成する各半導体スイッチング素子（例えばＦＥＴ（Field Effect Transistor)）をスイッチング駆動する。
【００５８】
スイッチングされる駆動部４８を介して電源部４３からモータ１６に駆動電力が供給される。演算部４４は、ＥＥＰＲＯＭ４９に空気圧縮機１０の運転ログデータ（運転モードや運転設定値、モータ１６の回転数等）を記録し、またＥＥＰＲＯＭ４９から空気圧縮機１０の運転ログデータを読み出す。空気タンク１２ａ，１２ｂ内の空気圧力、運転状態、および運転モードは演算部４４が表示部３７ｃに表示する。
【００５９】
また、空気圧縮機１０の読み取り部３９ａには、図６に示すようなアンテナ部３９ｃが形成されており、このアンテナ部３９ｃによってセキュリティカード４０等の認証用情報を読み取る。
【００６０】
セキュリティカード４０は、空気圧縮機１０のセキュリティを解除するためのセキュリティキーの一例である。
【００６１】
次に、図８、図９を用いて本実施の形態１の空気圧縮機１０のセキュリティ管理について説明する。
【００６２】
本実施の形態１の空気圧縮機１０では、図８および図９に示すように、モータ１６の駆動の制御を行う制御基板（制御部）３２と、情報制御基板３９とは、ケーブル６１を介して電気的に接続されている。
【００６３】
また、読み取り部３９ａと情報制御基板３９とは、ケーブル６２を介して電気的に接続されている。そして、操作パネル（操作部）３７は、情報制御基板３９に搭載された構造となっている。
【００６４】
読み取り部３９ａでは、図８に示すセキュリティカード４０に書き込まれている認証用情報を、図６に示すアンテナ部３９ｃを介して読み取る。
【００６５】
そして、セキュリティカード４０から読み取った認証用情報に基づいて、情報制御基板３９に搭載された情報制御チップ３８によってこの認証用情報の認証（第１の認証）を行う。認証完了後、情報制御基板３９から制御基板３２に対して、この制御基板３２の識別情報（固有コード）の信号とＯＮ命令の信号とを送信する。
【００６６】
制御基板３２側では、情報制御基板３９から送信された制御基板３２の識別情報（固有コード）と同じ識別情報（固有コード）が、制御基板３２に搭載されたメモリチップ３２ｂに格納されている複数の識別情報の中に存在するか否かを識別する（第２の認証）。すなわち、予め記憶された認証部識別情報と情報制御基板３９の固有情報との照合を行う。この識別（第２の認証）は、制御基板３２に搭載された認証用のマイコンチップ３２ａによって行う。
【００６７】
そして、情報制御基板３９から送信された制御基板３２の識別情報（固有コード）を、制御基板３２が備える複数の識別情報（固有コード）の中から識別することができたらセキュリティを解除し、モータ１６を動作させる信号を制御基板３２から送信する。
【００６８】
これにより、情報制御基板３９は、操作パネル３７への電源の供給を可能にする。すなわち、情報制御基板３９から送信された制御基板３２の識別情報（固有コード）と同じ識別情報（固有コード）が、制御基板３２のメモリチップ３２ｂに格納されていることを識別（第２の認証）してから、操作パネル３７への電源の供給を可能にする。または、情報制御基板３９は、許容信号を操作パネル３７に対して出力する。
【００６９】
そして、操作パネル３７では、上記許容信号を受信した後に、情報制御基板３９を介した制御基板３２への信号の出力が可能になる。
【００７０】
これにより、操作パネル３７からの信号が、情報制御基板３９を介して制御基板３２に届くようになり、空気圧縮機１０を作動させることが可能になる。
【００７１】
なお、情報制御基板３９から送信された制御基板３２の識別情報（固有コード）と同じ識別情報（固有コード）が、制御基板３２のメモリチップ３２ｂに格納されていなかった場合には、制御基板３２によるモータ１６の起動を停止する等して空気圧縮機１０を動作しない状態にする。
【００７２】
つまり、本来の情報制御基板３９ではなく、別の情報制御基板が制御基板３２と電気的に接続された際には、空気圧縮機１０を正常に動作させることができないようなセキュリティを働かすことができる。
【００７３】
なお、情報制御基板３９にメモリチップ（記憶部）を搭載しておき、このメモリチップに、制御基板３２の識別情報を格納しておいてもよく、正規の制御基板３２の識別情報と異なる識別情報を備えた他の制御基板に情報制御基板３９が電気的に接続された際には、情報制御基板３９が、上記他の制御基板の制御を不能にすることができる。すなわち、この場合にも、空気圧縮機１０を正常に動作させることはできない。
【００７４】
本実施の形態１の空気圧縮機１０によれば、情報制御基板３９と制御基板３２とで認証（第２の認証、識別）を行うようにしたことで、空気圧縮機１０のセキュリティ性を高めることができる。
【００７５】
つまり、情報制御基板３９から送信された制御基板３２の識別情報を、制御基板３２が有する複数の識別情報の中から識別することができた場合に、正常にモータ１６が動作するようにしたことで、空気圧縮機１０のセキュリティ性を高めることができる。
【００７６】
言い換えると、本実施の形態１の空気圧縮機１０では、その制御基板３２と情報制御基板３９との間で関連付けがなされており、正規の情報制御基板３９とは異なる他の情報制御基板が制御基板３２に接続された際には、空気圧縮機１０が動作しないようなセキュリティが働くようになっている。
【００７７】
例えば、操作パネル３７のスイッチ等の故障に対応した修理で正規の情報制御基板３９が取り外されて、その後、上記正規の情報制御基板３９とは異なる他の情報制御基板が接続された際には、空気圧縮機１０が動作しないようなセキュリティを働かすことができる。
【００７８】
なお、情報制御基板３９と制御基板３２とで認証（第２の認証、識別）を行うための制御基板３２の識別情報（固有コード）が格納されたメモリチップ３２ｂが、制御基板３２に搭載されていることにより、制御基板３２は容易に取り外すことができないため、空気圧縮機１０のセキュリティ性をさらに高めることができる。
【００７９】
これは、空気圧縮機１０では、制御基板３２は、空気圧縮機本体の比較的奥まった位置に取り付けられており、情報制御基板３９の方がカバー３３に近い位置に取り付けられている。そのため、本体の奥まった位置に取り付けられた制御基板３２に、制御基板３２の識別情報（固有コード）を格納したメモリチップ３２ｂを搭載した方が、制御基板３２が取り外される可能性は低く、その結果、空気圧縮機１０のセキュリティ性をさらに高めることができる。
【００８０】
特に、操作パネル３７と情報制御基板３９とが一体となっている場合には、操作パネル３７のスイッチ類（操作部材）の故障等で情報制御基板３９ごと取り外される可能性があるため、メモリチップ３２ｂは制御基板３２に搭載されている方が、セキュリティ性を高めることを考慮すると好ましい。
【００８１】
ただし、本実施の形態１では、情報制御基板３９と制御基板３２とで認証（第２の認証、識別）を行うマイコンチップ３２ａは、制御基板３２に搭載されている場合を説明したが、このマイコンチップ３２ａは情報制御基板３９に搭載されていてもよい。
【００８２】
また、情報制御基板３９と制御基板３２との認証（第２の認証）において、制御基板３２のメモリチップ３２ｂに格納された制御基板３２の識別情報の数（認証部識別情報の種類の数）と、制御基板３２に対応する情報制御基板３９の数（読み取り部３９ａからの認証用信号の種類の数）との割合は、情報制御基板３９の数に比べて、制御基板３２のメモリチップ３２ｂに格納された識別情報の数の方が少ないようになっている。
【００８３】
例えば、情報制御基板３９を約５０枚に対して、制御基板３２の識別情報（固有コード）を１つとして設定する。すなわち、５０枚分の情報制御基板３９に対して、１つ（１枚分の制御基板３２）の識別情報（固有コード）を設定する。
【００８４】
これにより、メモリチップ３２ｂにおいて必要とするメモリ容量を少なくすることができる。さらに、制御基板３２におけるセキュリティ情報の管理を容易にすることができる。ただし、使用するメモリ容量を考慮しなければ、情報制御基板３９と制御基板３２とを１対１の関係で識別情報（固有コード）を設定してもよい。
【００８５】
ここで、空気圧縮機１０において、カバー３３の上面に設けられた読み取り部３９ａ、情報制御基板３９および操作パネル３７を有する操作ユニット５２（図９の点線で囲まれた構成）と、制御基板３２とを繋ぐ配線の大凡の数について説明する。すなわち、カバー３３の上面の近傍に配置される読み取り部３９ａ、操作パネル３７および情報制御基板３９のそれぞれと、空気圧縮機本体の内方に配置される制御基板３２とを繋ぐ配線の数は、可能な限り少ない方が好ましい。
【００８６】
そこで、図９に示す本実施の形態１の構成では、読み取り部３９ａおよび操作パネル３７は、制御基板３２との信号の送受信を情報制御基板３９を介して行う。したがって、情報制御基板３９と制御基板３２とを繋ぐ配線の数が、そのまま操作ユニット５２と制御基板３２とを繋ぐ配線の数として表すことができる。
【００８７】
その際、情報制御基板３９と制御基板３２との接続（図９のＡ部の配線）は、一例として、電源（ＧＮＤ）用が２本、通信用（上り・下り）が２本で合計４本で済む。すなわち、制御基板３２と操作ユニット５２とを繋ぐ配線の数は、一例として４本であり、配線の本数を少なくすることができる。
【００８８】
また、操作ユニット５２内において、操作パネル３７と情報制御基板３９との接続は、一例として、１８本必要である。１８本の内訳は、操作パネル３７の表示部３７ｃにおいて、２桁の数字をＬＥＤ表示するのに（７本（７セグ）／１文字）×２＝１４本であり、さらに、運転スイッチ３７ａやモードスイッチ３７ｂ等のスイッチ用として３本、電源（ＧＮＤ）用が１本で、合計１８本となる。
【００８９】
しかしながら、空気圧縮機１０では、情報制御基板３９上に操作パネル３７が搭載（積層）されており、両者が極めて近い位置に配置されているため、それぞれを繋ぐ配線を短くすることができ、かつそれぞれの配線の引き回しを容易にすることができる。
【００９０】
なお、操作ユニット５２内における情報制御基板３９と読み取り部３９ａとの接続（図９のＢ部の配線）は、一例として、電源用が２本、通信用（上り・下り）が２本で合計４本である。
【００９１】
次に、本実施の形態１の空気圧縮機１０における他の認証方法（基板認証方法）について説明する。
【００９２】
まず、空気圧縮機１０において、情報制御基板（認証部）３９に記憶部であるメモリチップを設けておき、このメモリチップに制御基板（制御部）３２の識別情報を記憶させておく。
【００９３】
その後、メモリチップに格納されている制御基板（制御部）３２の識別情報を、例えば、空気圧縮機１０を保有するユーザが管理している、本体外部の記憶媒体（例えばフラッシュメモリ等）に読み込ませる。
【００９４】
そして、ユーザが管理している上記記憶媒体を用いて、読み込んだ制御基板３２の上記識別情報を他の（新規な）情報制御基板３９のメモリチップに記憶させ、制御基板３２と上記他の（新規な）情報制御基板３９とを接続して、制御基板３２と上記他の（新規な）情報制御基板３９とで認証（識別、情報制御基板３９の固有情報の照合）を行うものである。
【００９５】
この場合、ユーザが管理している記憶媒体に書き込まれた制御基板３２の識別情報を記憶させた情報制御基板３９を接続した際には、空気圧縮機本体は作動するが、単純に他の（新規な、別の）情報制御基板３９と、制御基板３２とを接続しただけでは、認証（識別）を行うことができず、空気圧縮機本体は作動しないというセキュリティを働かすものである。
【００９６】
このようなセキュリティ手段を空気圧縮機１０に持たせることにより、空気圧縮機１０のセキュリティをさらに高めることができる。
【００９７】
（第１変形例）
第１変形例の空気圧縮機１０ａは、図１０および図１１に示すように、情報制御基板３９と操作パネル３７とが別対で形成されているものである。そして、空気圧縮機１０ａでは、情報制御基板３９と操作パネル３７とがケーブル６０を介して電気的に接続されており、操作パネル（操作部）３７は、情報制御基板（認証部）３９を介して制御基板（制御部）３２に電気的に接続されている。
【００９８】
すなわち、制御基板３２と情報制御基板３９とがケーブル６１を介して電気的に接続され、情報制御基板３９と操作パネル３７とがケーブル６０を介して電気的に接続されている。そして、情報制御基板３９と読み取り部３９ａとがケーブル６２を介して電気的に接続されている。
【００９９】
これにより、図１０に示すセキュリティカード４０等から読み取り部３９ａにより読み取った認証用情報に基づいて、情報制御基板３９と制御基板３２との間で認証（第２の認証、識別）を行う（予め記憶された認証部識別情報と情報制御基板３９の固有情報との照合を行う）。
【０１００】
この認証（第２の認証、識別）は、制御基板３２に搭載されているマイコンチップ３２ａによって行う。そして、この認証において、読み取り部３９ａで読み取った認証用情報に基づいて情報制御基板３９から送信した制御基板３２の識別情報（固有コード）を、制御基板３２のメモリチップ３２ｂに格納されている制御基板３２の複数の識別情報（固有コード）の中から識別できた場合にセキュリティが解除される。
【０１０１】
このセキュリティの解除により、操作パネル３７への電源の供給を可能にする。または、情報制御基板３９が、許容信号を操作パネル３７に対して出力する。
【０１０２】
そして、操作パネル３７では、上記許容信号を受信した後に、情報制御基板３９を介した制御基板３２への信号の出力が可能になる。
【０１０３】
つまり、第１変形例の空気圧縮機１０ａにおいても、読み取り部３９ａで読み取った認証用情報に基づいた情報制御基板３９と制御基板３２との認証（第２の認証、識別）を行い、識別情報（固有コード）の識別によって、操作パネル３７からの信号が、情報制御基板３９を介して制御基板３２に届くようになり、空気圧縮機１０ａを作動させることが可能になる。
【０１０４】
以上のように本第１変形例の空気圧縮機１０ａにおいても、実施の形態１の空気圧縮機１０と同様に、そのセキュリティ性を高めることができる。
【０１０５】
また、空気圧縮機１０ａにおいても、図１１に示すように、操作ユニット５２（図１１の点線で囲まれた構成）と、制御基板３２とを繋ぐ配線の接続（図１１のＡ部の配線）では、一例として、電源（ＧＮＤ）用が２本、通信用（上り・下り）が２本で合計４本となり、実施の形態１の空気圧縮機１０と同様に、配線の本数を少なくすることができる。
【０１０６】
本第１変形例の空気圧縮機１０ａによって得られるその他の効果については、実施の形態１のものと同様であるため、その重複説明は省略する。
【０１０７】
（第２変形例）
第２変形例の空気圧縮機１０ｂは、図１２および図１３に示すように、情報制御基板３９と操作パネル３７とが別対で形成された構造を示すものであり、操作パネル３７が制御基板３２に設けられている。
【０１０８】
なお、空気圧縮機全般として、操作パネル３７は、作業者がスイッチ類の操作を行い易いようにカバー３３の近傍に取り付けられていることが多い。したがって、本第２変形例のように、空気圧縮機本体の奥まった位置に設けられる制御基板３２に操作パネル３７を設けることは効率良い部材配置とは成りにくいが、例えば、操作パネル３７のカバー３３から露出する部分を空気圧縮機本体の背面側に位置させることで、空気圧縮機１０ｂの構造も実現可能である。
【０１０９】
つまり、操作パネル３７を制御基板３２に設けてもよい。
【０１１０】
空気圧縮機１０ｂでは、図１２に示すように、情報制御基板（認証部）３９と制御基板（制御部）３２とがケーブル６１を介して電気的に接続され、情報制御基板３９と読み取り部３９ａとがケーブル６２を介して電気的に接続されている。
【０１１１】
これにより、セキュリティカード４０等から読み取り部３９ａで読み取った認証用情報に基づいて、情報制御基板３９と制御基板３２との間で認証（第２の認証、識別）を行う（予め記憶された認証部識別情報と情報制御基板３９の固有情報との照合を行う）。
【０１１２】
この認証（第２の認証、識別）は、制御基板３２に搭載されているマイコンチップ３２ａによって行う。そして、認証（第２の認証、識別）において、読み取り部３９ａにより読み取った認証用情報に基づいて情報制御基板３９から送信した制御基板３２の識別情報（固有コード）が、制御基板３２のメモリチップ３２ｂに格納されている制御基板３２の複数の識別情報（固有コード）の中に存在することを識別した場合にセキュリティが解除される。
【０１１３】
このセキュリティの解除により、操作パネル３７への電源の供給を可能にする。または、情報制御基板３９が、許容信号を操作パネル３７に対して出力する。
【０１１４】
そして、操作パネル３７では、上記許容信号を受信した後に、情報制御基板３９を介した制御基板３２への信号の出力が可能になる。
【０１１５】
つまり、第２変形例の空気圧縮機１０ｂにおいても、読み取り部３９ａで読み取った認証用情報に基づいた情報制御基板３９と制御基板３２との認証（第２の認証、識別）を行い、制御基板３２の識別情報（固有コード）の識別完了によって、操作パネル３７からの信号が、情報制御基板３９を介して制御基板３２に届くようになり、空気圧縮機１０ｂを作動させることが可能になる。
【０１１６】
以上のように本第２変形例の空気圧縮機１０ｂにおいても、実施の形態１の空気圧縮機１０と同様に、そのセキュリティ性を高めることができる。
【０１１７】
また、空気圧縮機１０ｂにおいても、図１３に示すように、操作ユニット５２（図１３の点線で囲まれた構成）と、制御基板３２とを繋ぐ配線の接続（図１３のＡ部の配線）では、一例として、電源（ＧＮＤ）用が２本、通信用（上り・下り）が２本で合計４本となり、実施の形態１の空気圧縮機１０と同様に、配線の本数を少なくすることができる。
【０１１８】
さらに、操作パネル３７を制御基板３２に設けたことにより、操作パネル３７と制御基板３２とを電気的に接続する配線の本数を少なくすることができ、かつ個々の配線の長さも短くすることができる。
【０１１９】
本第２変形例の空気圧縮機１０ｂによって得られるその他の効果については、実施の形態１のものと同様であるため、その重複説明は省略する。
【０１２０】
（実施の形態２）
本実施の形態２の空気圧縮機７０では、図１４および図１５に示すように、制御基板３２、情報制御基板３９、操作パネル３７および読み取り部３９ａが、直列的に接続されている。なお、操作パネル（操作部）３７は、情報制御基板（認証部）３９を介して制御基板（制御部）３２に電気的に接続されている。
【０１２１】
すなわち、制御基板３２と情報制御基板３９とがケーブル６１を介して電気的に接続され、情報制御基板３９と操作パネル３７とがケーブル６０を介して電気的に接続され、さらに、操作パネル３７と読み取り部３９ａとがケーブル６３を介して電気的に接続されている。
【０１２２】
なお、情報制御基板３９は、この情報制御基板３９と制御基板３２との認証（第２の認証、識別）が行われた際に、実施の形態１の空気圧縮機１０と同様に、操作パネル３７への電源の供給を可能にする。
【０１２３】
すなわち、図１４に示すセキュリティカード４０等から読み取り部３９ａで読み取った認証用情報に基づいて、情報制御基板３９から送信した制御基板３２の識別情報（固有コード）が、制御基板３２のメモリチップ３２ｂに格納されている制御基板３２の複数の識別情報（固有コード）の中に存在するか否かの認証（第２の認証、識別）を行う（予め記憶された認証部識別情報と情報制御基板３９の固有情報との照合を行う）。
【０１２４】
そして、情報制御基板３９と制御基板３２との認証（第２の認証、識別）が完了したら、セキュリティが解除される。すなわち、操作パネル３７への電源の供給を可能にする。または、情報制御基板３９は、許容信号を操作パネル３７に対して出力する。
【０１２５】
そして、操作パネル３７では、上記許容信号を受信した後に、情報制御基板３９を介した制御基板３２への信号の出力が可能になる。つまり、実施の形態２の空気圧縮機７０においても、読み取り部３９ａによって読み取った認証用情報に基づいた情報制御基板３９と制御基板３２との認証（第２の認証、識別）を完了したら、操作パネル３７からの信号が、情報制御基板３９を介して制御基板３２に届くようになり、空気圧縮機７０を作動させることが可能になる。
【０１２６】
これにより、制御基板３２によるモータ１６の駆動制御を開始する。
【０１２７】
以上のように本実施の形態２の空気圧縮機７０においても、実施の形態１の空気圧縮機１０と同様に、そのセキュリティ性を高めることができる。
【０１２８】
また、空気圧縮機７０においても、図１５に示すように、操作ユニット５２（図１５の点線で囲まれた構成）と、制御基板３２とを繋ぐ配線の接続（図１５のＡ部の配線）では、一例として、電源（ＧＮＤ）用が２本、通信用（上り・下り）が２本で合計４本となり、実施の形態１と同様に、配線の本数を少なくすることができる。
【０１２９】
また、操作ユニット５２内において、操作パネル３７を介した情報制御基板３９と読み取り部３９ａとの接続（図１５のＢ部とＣ部を繋ぐ配線）では、操作パネル３７に所望の配線パターンによりバイパス配線３７ｄを形成し、このバイパス配線３７ｄを使うことにより、上記図１５のＢ部とＣ部を繋ぐ配線の本数を減らすことができる。
【０１３０】
本実施の形態２の空気圧縮機７０によって得られるその他の効果については、実施の形態１のものと同様であるため、その重複説明は省略する。
【０１３１】
（変形例）
本実施の形態２の変形例の空気圧縮機８０では、図１６および図１７に示すように、制御基板３２、操作パネル３７、情報制御基板３９および読み取り部３９ａが、直列的に接続されている。
【０１３２】
空気圧縮機８０では、制御基板３２と操作パネル３７とがケーブル６４を介して電気的に接続され、さらに、操作パネル３７と情報制御基板３９とがケーブル６０を介して電気的に接続されている。そして、情報制御基板３９と読み取り部３９ａとがケーブル６２を介して電気的に接続されている。
【０１３３】
なお、情報制御基板３９は、この情報制御基板３９と制御基板３２との認証（第２の認証、識別）が行われた際に、実施の形態１の空気圧縮機１０と同様に、操作パネル３７への電源の供給を可能にする。
【０１３４】
すなわち、図１６に示すセキュリティカード４０等から読み取り部３９ａで読み取った認証用情報に基づいて、情報制御基板３９から送信した制御基板３２の識別情報（固有コード）が、制御基板３２のメモリチップ３２ｂに格納されている制御基板３２の複数の識別情報（固有コード）の中に存在するか否かの認証（第２の認証、識別）を行う（予め記憶された認証部識別情報と情報制御基板３９の固有情報との照合を行う）。
【０１３５】
そして、情報制御基板３９と制御基板３２との認証（第２の認証、識別）が完了したら、セキュリティが解除される。すなわち、操作パネル３７への電源の供給を可能にする。または、情報制御基板３９は、許容信号を操作パネル３７に対して出力する。
【０１３６】
そして、操作パネル３７では、上記許容信号を受信した後に、情報制御基板３９を介した制御基板３２への信号の出力が可能になる。つまり、実施の形態２の変形例の空気圧縮機８０においても、読み取り部３９ａによって読み取った認証用情報に基づいた情報制御基板３９と制御基板３２との認証（第２の認証、識別）を行い、この認証（第２の認証、識別）が完了したら、操作パネル３７からの信号が、情報制御基板３９を介して制御基板３２に届くようになり、空気圧縮機８０を作動させることが可能になる。
【０１３７】
これにより、制御基板３２によるモータ１６の駆動制御を開始する。
【０１３８】
以上のように本実施の形態２の変形例の空気圧縮機８０においても、実施の形態１の空気圧縮機１０と同様に、そのセキュリティ性を高めることができる。
【０１３９】
また、空気圧縮機８０においても、図１７に示すように、操作ユニット５２（図１７の点線で囲まれた構成）と、制御基板３２とを繋ぐ配線の接続（図１７のＡ部の配線）では、一例として、電源（ＧＮＤ）用が２本、通信用（上り・下り）が２本で合計４本となり、実施の形態１と同様に、配線の本数を少なくすることができる。
【０１４０】
さらに、操作ユニット５２内において、操作パネル３７を介した制御基板３２と情報制御基板３９との接続（図１７のＡ部とＢ部を繋ぐ配線）では、操作パネル３７に所望の配線パターンによりバイパス配線３７ｄを形成し、このバイパス配線３７ｄを使うことにより、上記図１７のＡ部とＢ部を繋ぐ配線の本数を減らすことができる。
【０１４１】
本実施の形態２の変形例の空気圧縮機８０によって得られるその他の効果については、実施の形態１のものと同様であるため、その重複説明は省略する。
【０１４２】
（実施の形態３）
本実施の形態３の空気圧縮機９０は、図１８および図１９に示すように、情報制御基板（認証部）３９と操作パネル（操作部、操作基板）３７とが、それぞれ別々に制御基板（制御部）３２に電気的に接続された構造となっている。
【０１４３】
すなわち、制御基板３２と操作パネル３７とがケーブル６４を介して電気的に接続され、一方、制御基板３２と情報制御基板３９とがケーブル６１を介して電気的に接続されている。そして、情報制御基板３９と読み取り部３９ａとがケーブル６２を介して電気的に接続されている。
【０１４４】
また、情報制御基板３９は、この情報制御基板３９と制御基板３２との認証（第２の認証、識別）が行われた際に、実施の形態１の空気圧縮機１０と同様に、操作パネル３７への電源の供給を可能にする。
【０１４５】
すなわち、図１８に示すセキュリティカード４０等から読み取り部３９ａで読み取った認証用情報に基づいて、情報制御基板３９から送信した制御基板３２の識別情報（固有コード）が、制御基板３２のメモリチップ３２ｂに格納されている制御基板３２の複数の識別情報（固有コード）の中に存在するか否かの認証（第２の認証、識別）を行う（予め記憶された認証部識別情報と情報制御基板３９の固有情報との照合を行う）。
【０１４６】
そして、情報制御基板３９と制御基板３２との認証（第２の認証、識別）が完了したら、セキュリティが解除される。すなわち、操作パネル３７への電源の供給を可能にする。または、情報制御基板３９は、許容信号を操作パネル３７に対して出力する。
【０１４７】
そして、制御基板３２では、上記許容信号を受信した後に、情報制御基板３９を介した制御基板３２への信号の出力が可能になる。つまり、実施の形態３の空気圧縮機９０においても、読み取り部３９ａによって読み取った認証用情報に基づいた情報制御基板３９と制御基板３２との認証（第２の認証、識別）を行い、この認証（第２の認証、識別）が完了したら、操作パネル３７からの信号が、情報制御基板３９を介して制御基板３２に届くようになり、空気圧縮機９０を作動させることが可能になる。
【０１４８】
これにより、制御基板３２によるモータ１６の駆動制御を開始する。
【０１４９】
以上のように本実施の形態３の空気圧縮機９０においても、実施の形態１の空気圧縮機１０と同様に、そのセキュリティ性を高めることができる。
【０１５０】
なお、空気圧縮機９０においては、図１９に示すように、操作ユニット５２（図１９の点線で囲まれた構成）と、制御基板３２とを繋ぐ配線の接続（図１９のＡ部およびＢ部の配線）では、情報制御基板３９と操作パネル３７とがそれぞれ別個に制御基板３２に接続されているため、配線の本数を少なくすることは困難であるが、情報制御基板３９の回路構成を容易にすることができる。
【０１５１】
本実施の形態３の空気圧縮機９０によって得られるその他の効果については、実施の形態１のものと同様であるため、その重複説明は省略する。
【０１５２】
本発明は、上記実施の形態に限定されるものではなく、その要旨を逸脱しない範囲で種々変更可能であることは言うまでもない。
【０１５３】
上記実施の形態の空気圧縮機は、情報制御基板３９と制御基板３２との接続を、コネクタ等の接続基板（中継基板）を介して行ってもよい。
【０１５４】
また、上記実施の形態１〜３においては、本発明が空気圧縮機の場合を説明したが、空気圧縮機を、エンジン用の発電機（エンジン工具）に置き換えることも可能である。すなわち、モータ駆動によるエンジン用の発電機において、情報制御基板（認証部）と制御基板（制御部）とで認証（識別）を行うようにすることで、エンジン用の発電機のセキュリティ性を高めることができる。
【符号の説明】
【０１５５】
１０，１０ａ，１０ｂ…空気圧縮機、１１…基台、１２ａ，１２ｂ…空気タンク、１３…脚部、１４ａ，１４ｂ…ハンドル部、１５…駆動ボックス、１６…モータ、１７…モータ回転軸、１８…回転子、１９…固定子、２１ａ，２１ｂ…シリンダ、２２ａ，２２ｂ…ピストン、２３ａ，２３ｂ…コネクティングロッド、２４ａ，２４ｂ…偏心カム、２５ａ，２５ｂ…駆動室、２６ａ，２６ｂ…シリンダヘッド、２７ａ，２７ｂ…逆止弁、２８ａ，２８ｂ…吐出室、２９ａ，２９ｂ…配管、３０…圧縮空気生成部、３１ａ，３１ｂ…冷却ファン、３２…制御基板（制御部、制御部材）、３２ａ…マイコンチップ、３２ｂ…メモリチップ（記憶部）、３３…カバー、３４ａ，３４ｂ…カプラ、３５ａ，３５ｂ…減圧弁、３６ａ，３６ｂ…圧力計、３７…操作パネル（操作部、操作基板）、３７ａ…運転スイッチ（操作部材）、３７ｂ…モードスイッチ（操作部材）、３７ｃ…表示部、３７ｄ…バイパス配線、３８…情報制御（セキュリティ）チップ、３９…情報制御基板（認証部）、３９ａ…読み取り部（読み取り部材）、３９ｃ…アンテナ部、４０…セキュリティカード（セキュリティキー）、４１…位置センサ、４２…圧力センサ、４３…電源部、４４…演算部、４５…電源電流検出部、４６…電圧検出部、４７…モータ電流検出部、４８…駆動部、４９…ＥＥＰＲＯＭ、５０…交流電源、５１…電源コード、５２…操作ユニット、６０，６１，６２，６３，６４…ケーブル、７０，８０，９０…空気圧縮機
【図１】
2015127522.tif 000003
【図２】
2015127522.tif 000004
【図３】
2015127522.tif 000005
【図４】
2015127522.tif 000006
【図５】
2015127522.tif 000007
【図６】
2015127522.tif 000008
【図７】
2015127522.tif 000009
【図８】
2015127522.tif 000010
【図９】
2015127522.tif 000011
【図１０】
2015127522.tif 000012
【図１１】
2015127522.tif 000013
【図１２】
2015127522.tif 000014
【図１３】
2015127522.tif 000015
【図１４】
2015127522.tif 000016
【図１５】
2015127522.tif 000017
【図１６】
2015127522.tif 000018
【図１７】
2015127522.tif 000019
【図１８】
2015127522.tif 000020
【図１９】
2015127522.tif 000021